(57)【要約】【課題】十分な止水性能を確保することができながら、止水板の取付けも容易に行うことができる、下屋の屋根と外壁との間の止水構造を提供する。【解決手段】下屋の屋根１と外壁２との境界部が、外壁面材よりも背後を立ち上がる部分３ａと下屋の屋根に沿う部分３ｂとを有する止水板３で止水されており、止水板３の立ち上がり部分３ａと外壁面材７の側との間に、それらの間を止水する弾性形成シーリング材１２が介設されている。【選択図】      図１
2005180054.tif 000002
【特許請求の範囲】
【請求項１】
下屋の屋根と外壁との境界部が、外壁面材よりも背後を立ち上がる部分と下屋の屋根に沿う部分とを有する止水板で止水された、下屋の屋根と外壁との間の止水構造であって、
前記止水板の立ち上がり部分と外壁面材の側との間に、それらの間を止水するシーリング材が介設されていることを特徴とする下屋の屋根と外壁との間の止水構造。
【請求項２】
前記シーリング材が、弾性成形シーリング材からなっていて止水板の立ち上がり部分に予め取り付けられており、止水板の立ち上がり部分を外壁面材よりも背後で立ち上がらせることで止水板の立ち上がり部分と外壁面材の側との間に介設されている請求項１に記載の下屋の屋根と外壁との間の止水構造。
【発明の詳細な説明】
【技術分野】
【０００１】
本発明は、下屋の屋根と外壁との間の止水構造に関する。
【背景技術】
【０００２】
図４（イ）に示すように、建物に付属する下屋の屋根５１と、建物の外壁５２との境界部を止水する止水構造として、金属などからなる止水板５３を用い、その一方の部分５３ａを外壁面材５７よりも背後で上方に立ち上がらせ、もう一方の部分５３ｂを下屋の屋根５１に沿わせるように設置したものがある。なお、５６はルーフィングである。
【発明の開示】
【発明が解決しようとする課題】
【０００３】
ところで、この止水構造において、止水板５３と外壁５２との間の止水性能を高いものにするには、外壁面材５７の背後における止水板５３の立ち上がり高さ寸法をできる限り大きくすればよいのであるが、そうすると、図４（ロ）に示すように、止水板５３の立ち上がり部分５３ａを差し込む部分のすぐ背後には他の構造部分５９、例えば軸組構造材等の建物構造部分が存在するので、止水板５３の立ち上がり部分５３ａを屋外側から外壁面材７の背面側に差し込むのが困難ないしは不可能となってしまい、一方の要請を満たせば他方の要請が満たされず、十分な止水性能を確保するのが難しい場合がある。
【０００４】
本発明は、上記のような問題点に鑑み、十分な止水性能を確保することができながら、止水板の取付けも容易に行うことができる、下屋の屋根と外壁との間の止水構造を提供することを課題とする。
【課題を解決するための手段】
【０００５】
上記の課題は、下屋の屋根と外壁との境界部が、外壁面材よりも背後を立ち上がる部分と下屋の屋根に沿う部分とを有する止水板で止水された、下屋の屋根と外壁との間の止水構造であって、
前記止水板の立ち上がり部分と外壁面材の側との間に、それらの間を止水するシーリング材が介設されていることを特徴とする下屋の屋根と外壁との間の止水構造によって解決される。
【０００６】
この止水構造では、止水板の立ち上がり部分と外壁面材の側との間に、それらの間を止水するシーリング材が介設されているので、外壁面材の背後における止水板の立ち上がり高さ寸法を小さくしても、シーリング材によって止水板と外壁面材の側との間の止水性能を確保することができ、こうして外壁面材の背後における止水板の立ち上がり高さ寸法を小さくすることができることによって、止水板の取付けも容易に行うことができる。
【０００７】
上記の止水構造において、シーリング材が、弾性成形シーリング材からなっていて止水板の立ち上がり部分に予め取り付けられており、止水板の立ち上がり部分を外壁面材よりも背後で立ち上がらせることで止水板の立ち上がり部分と外壁面材の側との間に介設されている場合は、シーリング材の設置を容易に行うことができる。
【発明の効果】
【０００８】
本発明は、以上のとおりのものであるから、十分な止水性能を確保することができながら、止水板の取付けも容易に行うことができる。
【発明を実施するための最良の形態】
【０００９】
次に、本発明の実施最良形態を図面に基づいて説明する。
【００１０】
図１ないし図３に示す実施形態の止水構造において、１は建物に付属する下屋の屋根、２は建物の外壁、３は止水板である。下屋の屋根１において、４は垂木であり、垂木４の上に野地板５が設置され、野地板５の上に防水用のルーフィング６が設置されている。
【００１１】
外壁２は、窯業系などの外壁面材７の背後に外断熱用の発泡樹脂断熱材８が備えられ、その背後に軸組構造材９が備えられた構造のものからなっていて、発泡樹脂断熱材８の下縁部の背面側には切欠き１０が形成され、この切欠き１０によって、発泡樹脂断熱材８と軸組構造材９との間に、止水板３を差し込む下向き開放の差込み部１１が形成されている。
【００１２】
止水板３は、金属板、あるいは、金属と樹脂の複合板、あるいは、樹脂板などからなっており、外壁面材よりも背後を立ち上がる部分３ａと下屋の屋根に沿う部分３ｂとを有し、図３に示すように、下屋の屋根１と外壁２との境界部において、屋外側から、立ち上がり部分３ａを外壁２側の差込み部１１に下から差し込んだ後、下屋の屋根に沿う部分３ｂを下屋の屋根１のルーフィング６の上面側に沿わせるというようにして設置される。
【００１３】
そして、止水板３の立ち上がり部分３ａの高さ寸法は、立ち上がり部分３ａの上縁部が差込み部１１に差し込まれて、発泡樹脂断熱材８の下縁部と重なり部分を形成しうる限度の小さな寸法に設計されていて、この重なり部分において、止水板３の立ち上がり部分３ａと発泡樹脂断熱材８との間にシーリング材１２が介設され、止水板３と発泡樹脂断熱材８との間、即ち、止水板３と外壁面材７の側との間が止水されている。
【００１４】
シーリング材１２は、例えば、ＥＰＤＭゴム混和物を発泡させた連続気泡タイプのシーリング材などの弾性型成形シーリング材からなっていて、図１（ロ）に示すように、予め、止水板３の立ち上がり部分３ａの上縁部に取り付けられていて、止水板３の立ち上がり部分３ａを、図３及び図１（ロ）に示すように、差込み部１１に差し込むことで、止水板３の立ち上がり部分３ａとともに発泡樹脂断熱材８と軸組構造部分９とに挟み込まれて圧縮され、止水板３と発泡樹脂断熱材８との間に介設されるようになされている。
【００１５】
上記の止水構造では、止水板３の立ち上がり部分３ａと、外壁面材の側である発泡樹脂断熱材８との間に、それらの間を止水するシーリング材１２が介設されているので、外壁面材７の背後における止水板３の立ち上がり高さ寸法を小さくしても、このシーリング材１２によって止水板３と外壁面材７の側との間の止水性能を確保することができ、こうして外壁面材７の背後における止水板３の立ち上がり部分３ａの高さ寸法を小さくすることができることによって、屋外側からの止水板３の取付けも容易に行うことができる。
【００１６】
特に、本実施形態のシーリング材１２は、乾式の弾性成形シーリング材からなっていて、予め、止水板３の立ち上がり部分３ａの上縁部に取り付けられており、このシーリング材付き止水板３の立ち上がり部分３ａを差込み部に差し込むだけで、止水板３の立ち上がり部分３ａと外壁面材７の側との間に介設されるようになされているので、シーリング材１２の設置を容易に行うことができる。
【００１７】
以上に、本発明の実施形態を示したが、本発明はこれに限られるものではなく、発明思想を逸脱しない範囲で各種の変更が可能である。例えば、上記の実施形態では、止水板３の立ち上がり部分３ａが発泡樹脂断熱材８と軸組構造材９との間に差し込まれた場合を示しているが、外壁の具体的構造に制限はなく、また、止水板３の立ち上がり部分３ａは、外壁面材の背後であって軸組構造材等の建物構造部分よりも屋外側において立ち上げられたものであればよい。
【図面の簡単な説明】
【００１８】
【図１】実施形態を示すもので、図（イ）は止水構造部分の断面側面図、図（ロ）は止水板の斜視図である。
【図２】図（イ）は建物の外壁と下屋の屋根との境界部分を示す概略斜視図、図（ロ）は同断面正面図である。
【図３】止水板の取付け方法を示す断面側面図である。
【図４】関連技術を示すもので、図（イ）は止水構造部分の断面側面図、図（ロ）は止水板の取付け方法を示す断面側面図である。
【符号の説明】
【００１９】
１…下屋の屋根
２…外壁
３…止水板
３ａ…立ち上がり部分
３ｂ…下屋の屋根の沿う部分
７…外壁面材
１２…シーリング材
【図１】
2005180054.tif 000003
【図２】
2005180054.tif 000004
【図３】
2005180054.tif 000005
【図４】
2005180054.tif 000006